(57)【要約】【課題】再生端末によって指定していた位置を参照して、記録再生装置に再生を開始させるコンテンツの位置をユーザが選択することができるようにする。【解決手段】録画済みのコンテンツが記録再生機１から携帯型再生機２に転送され、携帯型再生機２においてコンテンツの再生が行われる。コンテンツの再生中に位置の登録が指示されたとき、ユーザにより指定された位置が携帯型再生機２に登録される。登録された位置に関する情報は、所定のタイミングで携帯型再生機２から記録再生機１に提供され、記録再生機１により、それぞれの位置がユーザに提示される。所定の位置が選択されたとき、選択された位置からコンテンツの再生が開始される。本発明は、ハードディスクレコーダなどの録画機器や、携帯型の端末に適用することができる。【選択図】図１
2007329833.tif 000002
【特許請求の範囲】
【請求項１】
記録再生装置と再生端末からなる情報処理システムにおいて、
前記記録再生装置は、
コンテンツを前記再生端末に出力する出力手段と、
前記再生端末から出力された、前記コンテンツの再生中に前記再生端末のユーザにより指定された位置を表す位置情報と前記再生端末のユーザの識別情報を含む情報が複数登録されたリストを管理する管理手段と、
前記リストに登録されている情報のうち、ユーザにより指定された識別情報と同じ識別情報を含む情報に含まれる前記位置情報により表されるそれぞれの位置の前記コンテンツの画像を提示し、選択された位置から前記コンテンツを再生する再生手段と
を備え、
前記再生端末は、
前記記録再生装置から出力されたコンテンツを再生する再生手段と、
前記コンテンツの再生中にユーザにより指定された前記コンテンツの位置を表す位置情報とユーザの識別情報を含む情報を生成し、リストに登録する生成手段と、
前記生成手段により生成された複数の情報が登録された前記リストを前記記録再生装置に出力する出力手段と
を備える情報処理システム。
【請求項２】
コンテンツを再生端末に出力する出力手段と、
前記再生端末から出力された、前記コンテンツの再生中に前記再生端末のユーザにより指定された位置を表す位置情報と前記再生端末のユーザの識別情報を含む情報が複数登録されたリストを管理する管理手段と、
前記リストに登録されている情報のうち、ユーザにより指定された識別情報と同じ識別情報を含む情報に含まれる前記位置情報により表されるそれぞれの位置の前記コンテンツの画像を提示し、選択された位置から前記コンテンツを再生する再生手段と
を備える記録再生装置。
【請求項３】
前記コンテンツの位置を指定するときに前記再生端末のユーザにより入力されたコメントが前記リストに登録されている情報に含まれる場合、前記再生手段は、さらに、それぞれの位置の前記コンテンツの画像とともにコメントを提示する
請求項２に記載の記録再生装置。
【請求項４】
コンテンツを再生端末に出力し、
前記再生端末から出力された、前記コンテンツの再生中に前記再生端末のユーザにより指定された位置を表す位置情報と前記再生端末のユーザの識別情報を含む情報が複数登録されたリストを管理し、
前記リストに登録されている情報のうち、ユーザにより指定された識別情報と同じ識別情報を含む情報に含まれる前記位置情報により表されるそれぞれの位置の前記コンテンツの画像を提示し、選択された位置から前記コンテンツを再生する
ステップを含む情報処理方法。
【請求項５】
コンテンツを再生端末に出力し、
前記再生端末から出力された、前記コンテンツの再生中に前記再生端末のユーザにより指定された位置を表す位置情報と前記再生端末のユーザの識別情報を含む情報が複数登録されたリストを管理し、
前記リストに登録されている情報のうち、ユーザにより指定された識別情報と同じ識別情報を含む情報に含まれる前記位置情報により表されるそれぞれの位置の前記コンテンツの画像を提示し、選択された位置から前記コンテンツを再生する
ステップを含む処理をコンピュータに実行させるプログラム。
【請求項６】
記録再生装置から出力されたコンテンツを再生する再生手段と、
前記コンテンツの再生中にユーザにより指定された前記コンテンツの位置を表す位置情報とユーザの識別情報を含む情報を生成し、リストに登録する生成手段と、
前記生成手段により生成された複数の情報が登録された前記リストを前記記録再生装置に出力する出力手段と
を備える再生端末。
【請求項７】
前記生成手段は、前記コンテンツの再生中に位置の登録が指示されたとき、そのときの再生位置から所定の時間だけ前の位置を登録可能な位置として複数提示し、提示した位置の中から選択された位置を表す前記位置情報を含む情報を生成する
請求項６に記載の再生端末。
【請求項８】
前記生成手段は、前記コンテンツの位置を指定するときにユーザにより入力されたコメントを含む情報を生成する
請求項６に記載の再生端末。
【請求項９】
記録再生装置から出力されたコンテンツを再生し、
前記コンテンツの再生中にユーザにより指定された前記コンテンツの位置を表す位置情報とユーザの識別情報を含む情報を生成してリストに登録し、
生成した複数の情報が登録された前記リストを前記記録再生装置に出力する
ステップを含む情報処理方法。
【請求項１０】
記録再生装置から出力されたコンテンツを再生し、
前記コンテンツの再生中にユーザにより指定された前記コンテンツの位置を表す位置情報とユーザの識別情報を含む情報を生成してリストに登録し、
生成した複数の情報が登録された前記リストを前記記録再生装置に出力する
ステップを含む処理をコンピュータに実行させるプログラム。
【発明の詳細な説明】
【技術分野】
【０００１】
本発明は、情報処理システム、記録再生装置、再生端末、情報処理方法、およびプログラムに関し、特に、再生端末によって指定していた位置を参照して、記録再生装置に再生を開始させるコンテンツの位置をユーザが選択することができるようにした情報処理システム、記録再生装置、再生端末、情報処理方法、およびプログラムに関する。
【背景技術】
【０００２】
近年、放送番組などの映像コンテンツを録画する録画機は、HDD(Hard Disk Drive)やDVD(Digital Versatile Disc)などの大容量の不揮発性メモリを用いたものが主流となり、多くの映像コンテンツを記録することが可能になっている。今後も、HDDの容量の増加、大容量の光ディスクの商品化により、録画機に記録することのできる映像コンテンツの数は増加の一途を辿るものと予想される。
【０００３】
また、近年、放送の多チャンネル化に伴い、多コンテンツ化が進んでいる。従来の地上波アナログ放送に加え、CS(Communications Satellite)デジタル放送、BS(Broadcasting Satellite)デジタル放送、および地上波デジタル放送が開始されたことから、視聴者が視聴可能な映像コンテンツの数は大幅に増加している。
【０００４】
従って、これからの録画機としては、多チャンネル化した放送に対応した録画機が主流になると考えられ、このことからも、視聴者がとりあえず録画を行い、録画したものの中から、実際に視聴する映像コンテンツを選択するということが多くなっていくものと考えられる。
【０００５】
一方、携帯電話機をはじめとする携帯端末のCPU(Central Processing Unit)の処理能力の向上、携帯端末に着脱可能なメモリカードの大容量化、携帯端末に搭載される不揮発性メモリの大容量化などの技術的背景、および、録画済みの映像コンテンツの増加などの環境変化により、録画機で録画した映像コンテンツを携帯端末で視聴するという視聴スタイルが一般的になってきた。
【０００６】
特許文献１には、携帯型再生機と接続される録画再生装置において、携帯型再生機用のファイルに変換した上で、映像コンテンツを携帯型情報装置に送信する技術が記載されている。
【特許文献１】特開２００２−２６２２２０号公報
【発明の開示】
【発明が解決しようとする課題】
【０００７】
しかしながら、携帯端末を使った映像コンテンツの視聴スタイルは、以下の点で良いとは言えない。
１．映像コンテンツのデータを圧縮する必要があるため、画質が悪い。
２．携帯端末という機器の性質上、視聴に用いるディスプレイのサイズが小さい。
３．電車内、屋外などでの視聴が予想され、騒音などの問題がある場合もある。
【０００８】
よって、携帯端末を使って視聴した映像コンテンツのせめてメインのシーンだけを、視聴環境の良い家庭内の装置を使って視聴したい、というニーズが考えられるが、現在の技術では、携帯端末を使って視聴したものと同じ映像コンテンツであるにも関わらず、再度、映像コンテンツの先頭から再生を開始し、早送り操作や巻き戻し操作を行うなどして視聴したい位置を探す必要がある。
【０００９】
本発明はこのような状況に鑑みてなされたものであり、再生端末によって指定していた位置を参照して、記録再生装置に再生を開始させるコンテンツの位置をユーザが選択することができるようにするものである。
【課題を解決するための手段】
【００１０】
本発明の第１の側面の情報処理システムは記録再生装置と再生端末からなる。そのうちの記録再生装置は、コンテンツを前記再生端末に出力する出力手段と、前記再生端末から出力された、前記コンテンツの再生中に前記再生端末のユーザにより指定された位置を表す位置情報と前記再生端末のユーザの識別情報を含む情報が複数登録されたリストを管理する管理手段と、前記リストに登録されている情報のうち、ユーザにより指定された識別情報と同じ識別情報を含む情報に含まれる前記位置情報により表されるそれぞれの位置の前記コンテンツの画像を提示し、選択された位置から前記コンテンツを再生する再生手段とを備え、再生端末は、前記記録再生装置から出力されたコンテンツを再生する再生手段と、前記コンテンツの再生中にユーザにより指定された前記コンテンツの位置を表す位置情報とユーザの識別情報を含む情報を生成し、リストに登録する生成手段と、前記生成手段により生成された複数の情報が登録された前記リストを前記記録再生装置に出力する出力手段とを備える。
【００１１】
本発明の第２の側面の記録再生装置は、コンテンツを再生端末に出力する出力手段と、前記再生端末から出力された、前記コンテンツの再生中に前記再生端末のユーザにより指定された位置を表す位置情報と前記再生端末のユーザの識別情報を含む情報が複数登録されたリストを管理する管理手段と、前記リストに登録されている情報のうち、ユーザにより指定された識別情報と同じ識別情報を含む情報に含まれる前記位置情報により表されるそれぞれの位置の前記コンテンツの画像を提示し、選択された位置から前記コンテンツを再生する再生手段とを備える。
【００１２】
前記コンテンツの位置を指定するときに前記再生端末のユーザにより入力されたコメントが前記リストに登録されている情報に含まれる場合、前記再生手段には、さらに、それぞれの位置の前記コンテンツの画像とともにコメントを提示させることができる。
【００１３】
本発明の第２の側面の情報処理方法またはプログラムは、コンテンツを再生端末に出力し、前記再生端末から出力された、前記コンテンツの再生中に前記再生端末のユーザにより指定された位置を表す位置情報と前記再生端末のユーザの識別情報を含む情報が複数登録されたリストを管理し、前記リストに登録されている情報のうち、ユーザにより指定された識別情報と同じ識別情報を含む情報に含まれる前記位置情報により表されるそれぞれの位置の前記コンテンツの画像を提示し、選択された位置から前記コンテンツを再生するステップを含む。
【００１４】
本発明の第３の側面の再生端末は、記録再生装置から出力されたコンテンツを再生する再生手段と、前記コンテンツの再生中にユーザにより指定された前記コンテンツの位置を表す位置情報とユーザの識別情報を含む情報を生成し、リストに登録する生成手段と、前記生成手段により生成された複数の情報が登録された前記リストを前記記録再生装置に出力する出力手段とを備える。
【００１５】
前記生成手段には、前記コンテンツの再生中に位置の登録が指示されたとき、そのときの再生位置から所定の時間だけ前の位置を登録可能な位置として複数提示させ、提示した位置の中から選択された位置を表す前記位置情報を含む情報を生成させることができる。
【００１６】
前記生成手段には、前記コンテンツの位置を指定するときにユーザにより入力されたコメントを含む情報を生成させることができる。
【００１７】
本発明の第３の側面の情報処理方法またはプログラムは、記録再生装置から出力されたコンテンツを再生し、前記コンテンツの再生中にユーザにより指定された前記コンテンツの位置を表す位置情報とユーザの識別情報を含む情報を生成してリストに登録し、生成した複数の情報が登録された前記リストを前記記録再生装置に出力するステップを含む。
【００１８】
本発明の第１の側面の情報処理システムのうちの記録再生装置においては、コンテンツが再生端末に出力され、前記再生端末から出力された、前記コンテンツの再生中に前記再生端末のユーザにより指定された位置を表す位置情報と前記再生端末のユーザの識別情報を含む情報が複数登録されたリストが管理される。また、前記リストに登録されている情報のうち、ユーザにより指定された識別情報と同じ識別情報を含む情報に含まれる前記位置情報により表されるそれぞれの位置の前記コンテンツの画像が提示され、選択された位置から前記コンテンツが再生される。
【００１９】
一方、再生端末においては、前記記録再生装置から出力されたコンテンツが再生され、前記コンテンツの再生中にユーザにより指定された前記コンテンツの位置を表す位置情報とユーザの識別情報を含む情報が生成され、リストに登録される。また、生成された複数の情報が登録された前記リストが前記記録再生装置に出力される。
【００２０】
本発明の第２の側面においては、コンテンツが再生端末に出力され、前記再生端末から出力された、前記コンテンツの再生中に前記再生端末のユーザにより指定された位置を表す位置情報と前記再生端末のユーザの識別情報を含む情報が複数登録されたリストが管理される。また、前記リストに登録されている情報のうち、ユーザにより指定された識別情報と同じ識別情報を含む情報に含まれる前記位置情報により表されるそれぞれの位置の前記コンテンツの画像が提示され、選択された位置から前記コンテンツが再生される。
【００２１】
本発明の第３の側面においては、記録再生装置から出力されたコンテンツが再生され、前記コンテンツの再生中にユーザにより指定された前記コンテンツの位置を表す位置情報とユーザの識別情報を含む情報が生成され、リストに登録される。また、生成された複数の情報が登録された前記リストが前記記録再生装置に出力される。
【発明の効果】
【００２２】
本発明によれば、ユーザは、再生端末によって指定していた位置を参照して、記録再生装置に再生を開始させるコンテンツの位置を選択することができる。
【発明を実施するための最良の形態】
【００２３】
以下に本発明の実施の形態を説明するが、本発明の構成要件と、明細書又は図面に記載の実施の形態との対応関係を例示すると、次のようになる。この記載は、本発明をサポートする実施の形態が、明細書又は図面に記載されていることを確認するためのものである。従って、明細書又は図面中には記載されているが、本発明の構成要件に対応する実施の形態として、ここには記載されていない実施の形態があったとしても、そのことは、その実施の形態が、その構成要件に対応するものではないことを意味するものではない。逆に、実施の形態が発明に対応するものとしてここに記載されていたとしても、そのことは、その実施の形態が、その構成要件以外には対応しないものであることを意味するものでもない。
【００２４】
本発明の第１の側面の情報処理システム（例えば、図１の情報処理システム）は、基本的に、本発明の第２の側面の記録再生装置（例えば、図１の記録再生機１）の構成と、本発明の第３の側面の再生端末（例えば、図１の携帯型再生機２）の構成を備える。それぞれの構成と実施の形態との対応関係は以下のようになる。
【００２５】
本発明の第２の側面の記録再生装置は、コンテンツを再生端末に出力する出力手段（例えば、図４の転送部５２）と、前記再生端末から出力された、前記コンテンツの再生中に前記再生端末のユーザにより指定された位置を表す位置情報と前記再生端末のユーザの識別情報を含む情報が複数登録されたリストを管理する管理手段（例えば、図４の再生位置情報リスト管理部５３）と、前記リストに登録されている情報のうち、ユーザにより指定された識別情報と同じ識別情報を含む情報に含まれる前記位置情報により表されるそれぞれの位置の前記コンテンツの画像を提示し、選択された位置から前記コンテンツを再生する再生手段（例えば、図４の表示制御部５４）とを備える。
【００２６】
本発明の第２の側面の情報処理方法またはプログラムは、コンテンツを再生端末に出力し、前記再生端末から出力された、前記コンテンツの再生中に前記再生端末のユーザにより指定された位置を表す位置情報と前記再生端末のユーザの識別情報を含む情報が複数登録されたリストを管理し、前記リストに登録されている情報のうち、ユーザにより指定された識別情報と同じ識別情報を含む情報に含まれる前記位置情報により表されるそれぞれの位置の前記コンテンツの画像を提示し、選択された位置から前記コンテンツを再生するステップ（例えば、図６のステップＳ７）を含む。
【００２７】
本発明の第３の側面の再生端末は、記録再生装置から出力されたコンテンツを再生する再生手段（例えば、図５の表示制御部６２）と、前記コンテンツの再生中にユーザにより指定された前記コンテンツの位置を表す位置情報とユーザの識別情報を含む情報を生成し、リストに登録する生成手段（例えば、図５の再生位置情報生成部６３）と、前記生成手段により生成された複数の情報が登録された前記リストを前記記録再生装置に出力する出力手段（例えば、図５の転送部６１）とを備える。
【００２８】
本発明の第３の側面の情報処理方法またはプログラムは、記録再生装置から出力されたコンテンツを再生し、前記コンテンツの再生中にユーザにより指定された前記コンテンツの位置を表す位置情報とユーザの識別情報を含む情報を生成してリストに登録し、生成した複数の情報が登録された前記リストを前記記録再生装置に出力するステップ（例えば、図７のステップＳ１８）を含む。
【００２９】
以下、本発明の実施の形態について図を参照して説明する。
【００３０】
図１は、本発明の一実施形態に係る情報処理システムの構成例を示す図である。
【００３１】
図１に示されるように、この情報処理システムは記録再生機１と携帯型再生機２から構成される。
【００３２】
記録再生機１は、例えばHDDとDVDドライブを内蔵するハイブリッド型の録画機であり、家庭内に設置される。一方、携帯型再生機２は、携帯電話機などの端末であり、ユーザによって携帯される。
【００３３】
記録再生機１と携帯型再生機２は、有線または無線を介して相互に通信を行うことができるようになされている。記録再生機１と携帯型再生機２の間の情報のやりとりは、記録再生機１と携帯型再生機２にそれぞれ着脱可能なメモリカードを介しても行われる。
【００３４】
このような機器からなる情報処理システムにおいて、ユーザは、記録再生機１に記録されている録画済みのコンテンツを携帯型再生機２に転送し、携帯型再生機２を使って視聴することができる。携帯型再生機２を使って視聴しているとき、ユーザは好みのシーンなどの位置を携帯型再生機２に登録しておくこともできる。
【００３５】
携帯型再生機２に登録された位置に関する情報は、再度、通信を行うことが可能になったときなどの所定のタイミングで携帯型再生機２から記録再生機１に出力され、記録再生機１により、それぞれの位置がユーザに提示される。ユーザは、提示される位置の中から所定の位置を選択することによって、携帯型再生機２を使って視聴したコンテンツと同じコンテンツの再生を、選択した位置から記録再生機１に開始させることができる。記録再生機１にはLCD(Liquid Crystal Display)などよりなるテレビジョン受像機が接続されており、記録再生機１により再生されたコンテンツの映像がテレビジョン受像機の画面に表示される。
【００３６】
例えば、携帯型再生機２を使って視聴しているときに気に入ったシーンの位置を登録しておき、家に戻ってから同じシーンを記録再生機１を使ってゆっくり見直すといったときや、英会話などの番組の１シーンを、記録再生機１や携帯型再生機２を使って繰り返して見るといったときなどに、この機能が使われる。
【００３７】
ここで、記録再生機１と携帯型再生機２の間で行われる処理の一連の流れについて説明する。
【００３８】
記録再生機１には複数の録画済みのコンテンツが記録されており、例えば、録画済みのコンテンツのリストの中からユーザにより選択されたコンテンツは、矢印Ａ1に示されるように、解像度を落としたり、転送レートを落とすなどして、携帯型再生機２用のフォーマットのコンテンツに変換される。
【００３９】
フォーマットが変換されたコンテンツは、矢印Ａ2に示されるように、記録再生機１と携帯型再生機２の間で行われる有線または無線の通信によって、あるいは、記録再生機１によってコンテンツが記録されたメモリカードが携帯型再生機２に装着され、携帯型再生機２により読み出されることによって、携帯型再生機２にコピーされる。記録再生機１にはオリジナルのコンテンツが残され、携帯型再生機２には、内容は同じであるが、オリジナルのコンテンツと較べて質の劣るコンテンツが出力されることになる。
【００４０】
携帯型再生機２においては、記録再生機１からコピーされたコンテンツがユーザによる指示に応じて再生され、矢印Ａ3に示されるように、コンテンツの映像が携帯型再生機２に設けられる表示部２１に表示される。ユーザは、記録再生機１に録画しておいたコンテンツを、携帯型再生機２を使って視聴することができる。
【００４１】
コンテンツの視聴中、上述したように、ユーザは、携帯型再生機２に設けられるボタンを操作するなどしてコンテンツの位置を登録しておくことができる。ユーザによる操作は入力部２２により受け付けられ、ユーザによる入力に応じて再生位置情報が生成される。
【００４２】
図２は、再生開始位置の登録画面の表示例を示す図である。
【００４３】
図２に示される画面は、コンテンツの視聴中に、位置の登録を行うことをユーザが指示したときに表示される。
【００４４】
ユーザが位置の登録を行うことを指示したとき、コンテンツの再生は一時停止の状態となり、図２に示されるように、コンテンツの映像に重ねて、メニュー３１が、位置の登録に用いられるUI(User Interface)として表示される。
【００４５】
メニュー３１には、位置を登録するときに選択される「はい」ボタン３２、位置の登録を中断するときに選択される「いいえ」ボタン３３、および、登録する位置を、ユーザが位置の登録を行うことを指示した現在の再生位置を基準として何秒前の位置とするのかを選択するのに用いられる選択メニュー３４が表示される。
【００４６】
図２の例においては、選択メニュー３４には「０秒前」、「１０秒前」、「２０秒前」の３つの項目が表示されており、ユーザは、携帯型再生機２の筐体表面に設けられる上下ボタンを押すなどして１つの項目を選択し、続けて「はい」ボタン３２を選択することによって、現在の再生位置を基準として、選択メニュー３４から選択した秒数だけ前の位置を登録することができる。
【００４７】
また、位置を登録するとき、ユーザは、所定の文字列を、自分が登録した位置に関するコメントとして入力することもできる。文字列の入力は、ソフトウエアキーボードなどの文字列を入力するためのUIを用いて行われるようにしてもよいし、携帯型再生機２に物理的に設けられるアルファベットキーなどを用いて行われるようにしてもよい。
【００４８】
このようなUIを用いて、位置の登録がユーザにより行われる。
【００４９】
図１の説明に戻り、位置に関するユーザの入力が入力部２２により受け付けられたとき、矢印Ａ4に示されるように、ユーザにより指定された位置についての再生位置情報が生成され、内蔵の不揮発性メモリに記憶される再生位置情報リストに登録される。記録再生機１と携帯型再生機２の間の情報のやりとりがメモリカードを介して行われる場合、ユーザの入力に応じて生成された再生位置情報は、メモリカードに記憶されている再生位置情報リストに登録される。
【００５０】
再生位置情報には、例えばコンテンツの先頭からの時刻によって表される位置の情報の他に、再生中のコンテンツの識別ID、ユーザの識別ID、ユーザによって入力された任意の文字列が含まれる。すなわち、１つの再生位置情報によってコンテンツの１つの位置が表される。再生位置情報リストには、複数の再生位置情報を登録することができるようになされている。複数のコンテンツについての再生位置情報を１つの再生位置情報リストに登録することができるようにしてもよい。携帯型再生機２に識別IDが設定されている場合、例えば、ユーザの識別IDとして携帯型再生機２の識別IDが用いられる。
【００５１】
再生位置情報の登録は、ユーザにより位置の登録が指示され、再生位置情報が生成される毎に繰り返され、そのようにして得られた再生位置情報リストは、矢印Ａ5に示されるように、所定のタイミングで記録再生機１にコピーされる。再生位置情報リストのコピーは、例えば、記録再生機１と携帯型再生機２の間で行われる有線または無線の通信によって、あるいは、携帯型再生機２によってメモリカードに記録された再生位置情報リストが記録再生機１により読み出されることによって行われる。
【００５２】
内蔵の不揮発性メモリに再生位置情報リストがコピーされたとき、記録再生機１においては、再生位置情報リストに登録されている全ての再生位置情報の中から、ユーザにより再生対象として選択されたコンテンツに関する再生位置情報だけが選択される。再生位置情報の選択は、再生対象として選択されたコンテンツの識別IDと、再生位置情報に含まれるコンテンツの識別IDのマッチングの結果に基づいて行われる。
【００５３】
また、コンテンツの識別IDに基づいて選択された再生位置情報により表されるコンテンツの位置の内容を表すサムネイル画像が生成され、矢印Ａ6に示されるように、記録再生機１により表示部１１に表示される。１つのコンテンツについてユーザが複数の位置を登録しておいた場合、それぞれの位置の内容を表すサムネイル画像が生成され、リスト表示される。表示部１１は、例えば、記録再生機１に接続されるテレビジョン受像機の構成である。
【００５４】
図３は、再生開始位置の選択画面の表示例を示す図である。
【００５５】
図３に示される画面は、例えば、記録再生機１のリモートコントローラを用いて再生の対象とするコンテンツがユーザにより選択され、再生開始位置の一覧を表示することが指示されたときに表示される。
【００５６】
図３の例においては、４つの再生開始位置の情報が時系列順に欄４１乃至４４にそれぞれ表示されている。この例は、ユーザが、図３の上方にタイトルが示される「サッカーＷ杯  日本×ブラジル」のコンテンツを携帯型再生機２を使って視聴したときに、４つの位置を登録していたときの例を示している。
【００５７】
図３の欄４１に表示されている情報は、「サッカーＷ杯  日本×ブラジル」のコンテンツの「０：００：００」で特定される位置に関する情報である。
【００５８】
欄４１の左端に表示されている画像は、「０：００：００」で特定される位置のコンテンツの映像に基づいて記録再生機１により生成されたサムネイル画像であり、「０：００：００」の表示の右側に表示されている「番組開始」の文字列は、ユーザが「０：００：００」の位置を携帯型再生機２において登録するときに入力しておいたコメントである。
【００５９】
図３の欄４２に表示されている情報は、「サッカーＷ杯  日本×ブラジル」のコンテンツの「０：１５：１２」で特定される位置に関する情報である。
【００６０】
欄４２の左端に表示されている画像は、「０：１５：１２」で特定される位置のコンテンツの映像に基づいて記録再生機１により生成されたサムネイル画像であり、「０：１５：１２」の表示の右側に表示されている「試合開始」の文字列は、ユーザが「０：１５：１２」の位置を携帯型再生機２において登録するときに入力しておいたコメントである。
【００６１】
同様に、図３の欄４３に表示されている情報は、「サッカーＷ杯  日本×ブラジル」のコンテンツの「０：５３：３３」で特定される位置に関する情報であり、欄４４に表示されている情報は、「サッカーＷ杯  日本×ブラジル」のコンテンツの「１：２７：２０」で特定される位置に関する情報である。
【００６２】
記録再生機１により表示されるこのような画面から、ユーザは、リモートコントローラを操作するなどして所定の欄の再生開始位置を選択し、選択した位置から、コンテンツの再生を開始させることができる。
【００６３】
例えば、図３の欄４２の再生開始位置をユーザが選択したとき、記録再生機１においては、「サッカーＷ杯  日本×ブラジル」のコンテンツの再生が、「０：１５：１２」で特定される位置から開始される。
【００６４】
なお、図３に示されるような画面の表示は、ユーザにより入力されたユーザの識別IDと同じ識別IDが含まれる再生位置情報に基づいて行われる。複数のユーザが記録再生機１を使っている場合、それぞれのユーザが識別IDを入力してから再生開始位置のリストの表示を指示することによって、それぞれのユーザは、自分が登録しておいた再生開始位置のリストを表示させることができる。
【００６５】
図１の説明に戻り、図３に示されるような画面に対して行われるユーザの操作は入力部１２により受け付けられる。再生開始位置を選択するユーザの操作が入力部１２により受け付けられたとき、矢印Ａ7に示されるように、ユーザにより選択された位置から、コンテンツの再生が開始される。
【００６６】
このように、ユーザは、携帯型再生機２を使って視聴したときに登録しておいた位置を参照して、記録再生機１に再生を開始させる位置を選択することができる。ユーザは、家に戻ってからもう一度見たいと思って登録しておいたシーンなどを容易に探すことができる。
【００６７】
また、位置を登録するときに入力しておいたコメントが再生開始位置のリストに表示されるため、単に、サムネイル画像と位置だけがそれぞれの位置の情報として表示される場合に較べて、ユーザは、目的とするシーンをより容易に探すことができる。
【００６８】
以上のような流れで行われる記録再生機１と携帯型再生機２のそれぞれの処理の詳細についてはフローチャートを参照して後述する。
【００６９】
図４は、記録再生機１の機能構成例を示すブロック図である。図４に示す機能部のうちの少なくとも一部は、記録再生機１が内蔵するCPUにより所定のプログラムが実行されることによって実現される。
【００７０】
図４に示されるように、記録再生機１においては、コンテンツ記憶部５１、転送部５２、再生位置情報リスト管理部５３、および表示制御部５４が実現される。
【００７１】
コンテンツ記憶部５１は、録画済みのコンテンツを記憶する。コンテンツ記憶部５１に記憶されているコンテンツは、携帯型再生機２に転送するとき転送部５２により読み出され、記録再生機１上で再生を行うとき表示制御部５４により読み出される。
【００７２】
転送部５２は、例えば、録画済みのコンテンツのリストの中からユーザにより１つのコンテンツが選択されたとき、選択されたコンテンツをコンテンツ記憶部５１から読み出し、読み出したコンテンツを携帯型再生機２用のフォーマットのコンテンツに変換して携帯型再生機２に転送する。
【００７３】
また、転送部５２は、携帯型再生機２により管理されている再生位置情報リストが携帯型再生機２から転送されてきたとき、それを取得し、取得した再生位置情報リストを再生位置情報リスト管理部５３に出力する。
【００７４】
再生位置情報リスト管理部５３は、携帯型再生機２から転送されてきた再生位置情報リストを不揮発性メモリなどに記憶させて管理する。再生位置情報リスト管理部５３は、例えば、再生対象のコンテンツがユーザにより選択されたとき、選択されたコンテンツの識別IDと、管理している再生位置情報リストに登録されるそれぞれの再生位置情報に含まれるコンテンツの識別IDをマッチングし、識別IDが一致する再生位置情報だけを表示制御部５４に出力する。
【００７５】
なお、録画済みのコンテンツを携帯型再生機２に転送した後にオリジナルのコンテンツがコンテンツ記憶部５１から消去されることもあり、再生位置情報リストに登録されている再生位置情報のうち、コンテンツ記憶部５１に記憶されていないコンテンツについての再生位置情報は再生位置情報リスト管理部５３により破棄されるようにしてもよい。
【００７６】
表示制御部５４は、再生対象のコンテンツがユーザにより選択され、そのコンテンツに対して携帯型再生機２を使って登録しておいた位置のリストを表示することがユーザにより指示されたとき、再生位置情報リスト管理部５３から供給された再生位置情報により表される位置のコンテンツのデータをコンテンツ記憶部５１から読み出し、読み出したデータに基づいてサムネイル画像を生成する。複数の再生位置情報が再生位置情報リスト管理部５３から供給されている場合、それぞれの再生位置情報によって表される位置の内容を表すサムネイル画像が生成される。
【００７７】
表示制御部５４は、再生位置情報に含まれるコメントとともに、サムネイル画像、登録された位置を表す時刻が表示される図３に示されるような画面を表示部１１に表示させ、コンテンツの再生開始位置をユーザに選択させる。
【００７８】
表示した再生開始位置の中からユーザにより所定の位置が選択されたとき、表示制御部５４は、選択された位置以降のコンテンツのデータをコンテンツ記憶部５１から読み出し、読み出したデータを再生することによって、ユーザにより選択された位置から、コンテンツの映像を表示部１１に表示させる。コンテンツの音声も、映像の表示にあわせて、記録再生機１に接続されるテレビジョン受像機のスピーカなどから出力される。
【００７９】
図５は、携帯型再生機２の機能構成例を示すブロック図である。図５に示す機能部のうちの少なくとも一部は、携帯型再生機２が内蔵するCPUにより所定のプログラムが実行されることによって実現される。
【００８０】
図５に示されるように、携帯型再生機２においては、転送部６１、表示制御部６２、再生位置情報生成部６３、および再生位置情報リスト管理部６４が実現される。
【００８１】
転送部６１は、記録再生機１において選択された所定のフォーマットのコンテンツが記録再生機１から転送されてきたとき、それを取得し、取得したコンテンツを表示制御部６２に出力する。
【００８２】
また、転送部６１は、再生位置情報リストを記録再生機１に転送することがユーザにより指示されたとき、再生位置情報リスト管理部６４により管理されている再生位置情報リストを取得し、取得した再生位置情報リストを記録再生機１に転送する。
【００８３】
表示制御部６２は、転送部６１から供給されたコンテンツをユーザによる指示に応じて再生し、コンテンツの映像を表示部２１に表示させる。また、表示制御部６２は、コンテンツの音声をスピーカや、携帯型再生機２に装着されたイヤホンなどから出力させる。
【００８４】
表示制御部６２は、コンテンツの再生中に、位置を登録することがユーザにより指示されたとき、コンテンツの再生を一時停止の状態とし、図２に示されるような画面を表示させる。
【００８５】
再生位置情報生成部６３は、図２に示されるような画面に対して行われるユーザの入力が入力部２２により受け付けられ、ユーザの入力の内容を表す情報が入力部２２から供給されたとき、コンテンツの先頭からの時刻によって表される位置の情報、コンテンツの識別ID、ユーザの識別ID、ユーザによって入力された文字列を含む再生位置情報を生成し、生成した再生位置情報を再生位置情報リスト管理部６４に出力する。再生位置情報生成部６３は、ユーザにより位置の登録が指示される毎に再生位置情報を生成し、生成した再生位置情報を再生位置情報リスト管理部６４に出力する。
【００８６】
再生位置情報リスト管理部６４は、再生位置情報生成部６３から供給された再生位置情報を再生位置情報リストに登録する。再生位置情報リスト管理部６４により管理されている再生位置情報リストは、所定のタイミングで転送部６１により読み出され、記録再生機１に転送される。
【００８７】
次に、以上のような構成を有する記録再生機１と携帯型再生機２のそれぞれの処理について説明する。
【００８８】
はじめに、図６のフローチャートを参照して記録再生機１の処理について説明する。
【００８９】
この処理は、例えば、録画済みのコンテンツのリストの中からユーザにより１つのコンテンツが選択されたときに開始される。
【００９０】
ステップＳ１において、記録再生機１の転送部５２は、ユーザにより選択されたコンテンツをコンテンツ記憶部５１から読み出し、読み出したコンテンツを携帯型再生機２用のフォーマットのコンテンツに変換して携帯型再生機２に転送する。携帯型再生機２においては、ユーザによる指示に応じてコンテンツの再生が行われ、適宜、位置の登録が行われる。
【００９１】
ステップＳ２において、転送部５２は、再生位置情報リストが携帯型再生機２から転送されてきたか否かを判定し、転送されてきたと判定するまで待機する。
【００９２】
転送部５２は、ステップＳ２において、再生位置情報リストが転送されてきたと判定した場合、ステップＳ３に進み、転送されてきた再生位置情報リストを取得する。転送部５２は、取得した再生位置情報リストを再生位置情報リスト管理部５３に出力し、管理させる。
【００９３】
ステップＳ４において、表示制御部５４は、再生対象のコンテンツがユーザにより選択され、同じコンテンツを携帯型再生機２を使って視聴したときに登録しておいた位置を提示することがユーザにより指示されたか否かを判定し、提示することが指示されたと判定するまで待機する。
【００９４】
表示制御部５４は、ステップＳ４において、携帯型再生機２を使ってコンテンツを視聴したときに登録しておいた位置を提示することがユーザにより指示されたと判定した場合、ステップＳ５に進み、再生位置情報リスト管理部５３から供給された再生位置情報に基づいて、登録されている再生開始位置を図３に示されるようにリスト表示する。再生対象のコンテンツがユーザにより選択されたとき、再生位置情報リスト管理部５３においては、再生位置情報リストに登録されている再生位置情報のうち、再生対象のコンテンツに対してユーザが登録していた位置についての再生位置情報が選択され、表示制御部５４に出力される。
【００９５】
ステップＳ６において、表示制御部５４は、提示した再生開始位置の中からユーザにより所定の位置が選択されたか否かを判定し、選択されたと判定するまで待機する。
【００９６】
表示制御部５４は、ステップＳ６において、所定の再生開始位置が選択されたと判定した場合、ステップＳ７に進み、選択された位置以降のコンテンツのデータをコンテンツ記憶部５１から読み出し、読み出したデータを再生する。再生されたコンテンツの映像は表示部１１に表示され、音声はスピーカから出力される。
【００９７】
次に、図７のフローチャートを参照して、携帯型再生機２の処理について説明する。
【００９８】
この処理は、例えば、所定のフォーマットのコンテンツが記録再生機１から転送されてきたときに開始される。
【００９９】
ステップＳ１１において、携帯型再生機２の転送部６１は、記録再生機１から転送されてきたコンテンツを取得し、取得したコンテンツを表示制御部６２に出力する。
【０１００】
ステップＳ１２において、表示制御部６２は、コンテンツの再生を開始することがユーザにより指示されたか否かを判定し、再生を開始することがユーザにより指示されたと判定するまで待機する。
【０１０１】
表示制御部６２は、ステップＳ１２において、再生を開始することがユーザにより指示されたと判定した場合、ステップＳ１３に進み、例えば先頭から、コンテンツの再生を開始する。再生されたコンテンツの映像は表示部２１に表示され、音声はスピーカなどから出力される。
【０１０２】
ステップＳ１４において、表示制御部６２は、再生開始位置を登録することがユーザにより指示されたか否かを判定し、指示されたと判定するまで待機する。再生開始位置を登録することが指示されるまで、コンテンツの再生は続けられる。
【０１０３】
表示制御部６２は、ステップＳ１４において、再生開始位置を登録することがユーザにより指示されたと判定した場合、ステップＳ１５に進み、コンテンツの再生を一時停止の状態とし、位置の登録に用いられる図２に示されるような画面を表示部２１に表示させる。
【０１０４】
ステップＳ１６において、再生位置情報生成部６３は、表示部２１に表示された画面に対して行われるユーザの入力に応じて、ユーザにより指定された位置を表す情報、コンテンツの識別ID、携帯型再生機２に設定されている識別ID（ユーザID）、ユーザによって入力された文字列を含む再生位置情報を生成し、生成した再生位置情報を再生位置情報リスト管理部６４に出力して再生位置情報リストに登録させる。
【０１０５】
ステップＳ１７において、表示制御部６２は、コンテンツの再生を終了するか否かを判定し、終了すると判定するまで、ステップＳ１４以降の処理を繰り返す。表示制御部６２は、ステップＳ１７において、コンテンツの再生を終了すると判定した場合、ステップＳ１８に進む。
【０１０６】
ステップＳ１８において、転送部６１は、再生位置情報リストを記録再生機１に転送することがユーザにより指示されたか否かを判定し、指示されたと判定するまで待機する。
【０１０７】
転送部６１は、ステップＳ１８において、再生位置情報リストを記録再生機１に転送することがユーザにより指示されたと判定した場合、ステップＳ１９に進み、再生位置情報リスト管理部６４により管理されている再生位置情報リストを記録再生機１に転送し、処理を終了させる。
【０１０８】
以上の処理により、ユーザは、携帯型再生機２を使って視聴したときに登録しておいた位置を参照して、記録再生機１に再生を開始させる位置を選択することができる。
【０１０９】
以上においては、ユーザが携帯型再生機２を使って視聴し、再生開始位置を登録することができるコンテンツが記録再生機１からコピーされたコンテンツである場合について説明したが、ストリーミングによって携帯型再生機２上で再生されるコンテンツに対して、再生開始位置をユーザが登録することができるようにしてもよい。
【０１１０】
また、以上においては、記録再生機１において表示される再生開始位置のリストには、それぞれの再生開始位置の情報として、サムネイル画像、位置、文字列だけが表示されるものとしたが、これ以外の各種のシーンメタデータが表示されるようにしてもよい。例えば、再生開始位置の登録時に再生開始位置の優先度を設定することができるようになされている場合、設定された優先度がシーンメタデータとしてリストに表示される。
【０１１１】
また、ユーザの識別IDがシーンメタデータとして表示されるようにしてもよいし、ユーザが自分の氏名を携帯型再生機２に登録しており、それが再生位置情報に含まれている場合、ユーザの氏名がシーンメタデータとして表示されるようにしてもよい。
【０１１２】
ユーザが登録しておいた再生開始位置は、記録再生機１において再生の開始位置を選択するのに用いられるだけでなく、再生が開始された後のスキップ（頭出し）に用いられるようにしてもよい。この場合、リモートコントローラなどを操作してスキップを指示する毎に、ユーザが登録しておいたそれぞれの再生開始位置から、再生が行われる。
【０１１３】
以上においては、再生位置情報リストに登録されている再生位置情報は、関連するコンテンツが消去されていた場合に記録再生機１において消去されるものとしたが、ユーザにより指示されたときに消去されるようにしてもよい。また、携帯型再生機２においても、ユーザによる指示があったことや、コンテンツが消去されることに応じて消去されるようにしてもよい。
【０１１４】
また、以上においては、再生位置情報に含められるユーザの識別IDは、携帯型再生機２に設定されている識別IDであるとしたが、他の識別IDが用いられるようにしてもよい。例えば、コンテンツを視聴する機器の情報として携帯型再生機２の情報をコンテンツの転送前に記録再生機１に登録する必要がある場合、その初期登録のときに記録再生機１により生成された識別IDがユーザの識別IDとして用いられるようにしてもよい。この場合、記録再生機１と携帯型再生機２の双方で、記録再生機１により生成された同じ識別IDが管理され、この識別IDに基づいて、携帯型再生機２を使っているユーザが記録再生機１により識別される。
【０１１５】
また、コンテンツを携帯型再生機２にコピーするときにコンテンツに対して識別IDが付加され、付加された識別IDが、コンテンツを識別するためのIDとしてだけでなく、ユーザを識別するためのIDとしても用いられるようにしてもよい。
【０１１６】
上述した一連の処理は、ハードウエアにより実行させることもできるし、ソフトウエアにより実行させることもできる。一連の処理をソフトウエアにより実行させる場合には、そのソフトウエアを構成するプログラムが、専用のハードウエアに組み込まれているコンピュータ、または、各種のプログラムをインストールすることで、各種の機能を実行することが可能な、例えば汎用のパーソナルコンピュータなどに、プログラム記録媒体からインストールされる。
【０１１７】
図８は、上述した一連の処理をプログラムにより実行するパーソナルコンピュータの構成の例を示すブロック図である。
【０１１８】
CPU(Central Processing Unit)１０１は、ROM(Read Only Memory)１０２、または記憶部１０８に記憶されているプログラムに従って各種の処理を実行する。RAM(Random Access Memory)１０３には、CPU１０１が実行するプログラムやデータなどが適宜記憶される。これらのCPU１０１、ROM１０２、およびRAM１０３は、バス１０４により相互に接続されている。
【０１１９】
CPU１０１にはまた、バス１０４を介して入出力インターフェース１０５が接続されている。入出力インターフェース１０５には、キーボード、マウス、マイクロホンなどよりなる入力部１０６、ディスプレイ、スピーカなどよりなる出力部１０７が接続されている。CPU１０１は、入力部１０６から入力される指令に対応して各種の処理を実行する。そして、CPU１０１は、処理の結果を出力部１０７に出力する。
【０１２０】
入出力インターフェース１０５に接続されている記憶部１０８は、例えばハードディスクからなり、CPU１０１が実行するプログラムや各種のデータを記憶する。通信部１０９は、インターネットやローカルエリアネットワークなどのネットワークを介して外部の装置と通信する。
【０１２１】
入出力インターフェース１０５に接続されているドライブ１１０は、磁気ディスク、光ディスク、光磁気ディスク、或いは半導体メモリなどのリムーバブルメディア１１１が装着されたとき、それらを駆動し、そこに記録されているプログラムやデータなどを取得する。取得されたプログラムやデータは、必要に応じて記憶部１０８に転送され、記憶される。
【０１２２】
コンピュータにインストールされ、コンピュータによって実行可能な状態とされるプログラムを格納するプログラム記録媒体は、図８に示すように、磁気ディスク（フレキシブルディスクを含む）、光ディスク（CD-ROM(Compact Disc-Read Only Memory)，DVD(Digital Versatile Disc)を含む）、光磁気ディスク、もしくは半導体メモリなどよりなるパッケージメディアであるリムーバブルメディア１１１、または、プログラムが一時的もしくは永続的に格納されるROM１０２や、記憶部１０８を構成するハードディスクなどにより構成される。プログラム記録媒体へのプログラムの格納は、必要に応じてルータ、モデムなどのインタフェースである通信部１０９を介して、ローカルエリアネットワーク、インターネット、デジタル衛星放送といった、有線または無線の通信媒体を利用して行われる。
【０１２３】
なお、本明細書において、プログラムを記述するステップは、記載された順序に沿って時系列的に行われる処理はもちろん、必ずしも時系列的に処理されなくとも、並列的あるいは個別に実行される処理をも含むものである。
【０１２４】
また、本明細書において、システムとは、複数の装置により構成される装置全体を表すものである。
【図面の簡単な説明】
【０１２５】
【図１】本発明の一実施形態に係る情報処理システムの構成例を示す図である。
【図２】再生開始位置の登録画面の表示例を示す図である。
【図３】再生開始位置の選択画面の表示例を示す図である。
【図４】記録再生機の機能構成例を示すブロック図である。
【図５】携帯型再生機の機能構成例を示すブロック図である。
【図６】記録再生機の処理について説明するフローチャートである。
【図７】携帯型再生機の処理について説明するフローチャートである。
【図８】パーソナルコンピュータの構成例を示すブロック図である。
【符号の説明】
【０１２６】
１  記録再生機，  ２  携帯型再生機，  ５１  コンテンツ記憶部，  ５２  転送部，  ５３  再生位置情報リスト管理部，  ５４  表示制御部，  ６１  転送部，  ６２  表示制御部，  ６３  再生位置情報生成部，  ６４  再生位置情報リスト管理部
【図１】
2007329833.tif 000003
【図２】
2007329833.tif 000004
【図３】
2007329833.tif 000005
【図４】
2007329833.tif 000006
【図５】
2007329833.tif 000007
【図６】
2007329833.tif 000008
【図７】
2007329833.tif 000009
【図８】
2007329833.tif 000010